(57)【特許請求の範囲】
【請求項１】
写真フイルムが予め装填されるとともに撮影レンズ及びシャッタ機構が組み込まれたユニット本体の前面に突出部が設けられ、この突出部に前記撮影レンズの前面を露呈させる撮影窓が形成され、この撮影窓を覆うようにユニット本体の前面にスペーサシートを被せてから防湿性のガゼット袋で包装されるレンズ付きフイルムユニットにおいて、
前記突出部の前面で撮影窓を取り囲むようにして前記突出部と一体に突条を形成し、前記ガゼット袋に包装した状態で前記突条がスペーサシートを裏面側から支持するようにしたことを特徴とするレンズ付きフイルムユニット。
【請求項２】
前記スペーサシートに接触する突条先端部の断面を半円形状にしたことを特徴とする請求項１記載のレンズ付きフイルムユニット。
【発明の詳細な説明】
【０００１】
【発明の属する技術分野】
本発明は、防湿性のガゼット袋に密封して包装されるレンズ付きフイルムユニットに関するものである。
【０００２】
【従来の技術】
低価格で手軽に写真撮影を楽しむことができるように、本出願人から「写ルンです」（商品名）等のレンズ付きフイルムユニットが市販されている。これらのレンズ付きフイルムユニットは、購入したその場で写真撮影ができ、また撮影後にもそのまま現像取り扱い店に出せばよいという簡便性から一般に広く利用されている。
【０００３】
このようなレンズ付きフイルムユニットは、その製造過程で写真フイルムが装填されてしまうため、製造後、実際ユーザーが使用するまでの間、装填された写真フイルムを湿気や塵などから保護しておく必要がある。このためレンズ付きフイルムユニットは、メーカーから出荷されるときに防湿機能をもったガゼット袋で１つ１つ密封される。
【０００４】
最近のレンズ付きフイルムユニットはコンパクト化とともに薄形化が図られている。例えば「写ルンです  Ｓｕｐｅｒ８００」（商品名）では、パトローネの収容部分の外壁を前方に突出させてグリップ部とし、さらには撮影レンズの前面を露呈させる撮影窓をレンズ付きフイルムユニットの前面に設けた突出部に形成し、所定の焦点距離をもった撮影レンズをこの突出部内に入り込ませるように組み込んで全体的な厚みを薄くする工夫がなされている。
【０００５】
このようなレンズ付きフイルムユニットは、特に撮影窓を形成した突出部がレンズ付きフイルムユニットの前面から出っ張っているため、レンズ付きフイルムユニットの前面を覆っているガゼット袋は突出部で盛り上がり、レンズ付きフイルムユニットの前面に密着せずにでこぼこして、梱包時の取り扱いが面倒になる。またレンズ付きフイルムユニットの前面を覆っているガゼット袋は弛んで皺がよりやすく、外観が見苦しいものになる。
【０００６】
またレンズ付きフイルムユニットの使用時における撮影レンズへの指紋や塵埃の付着を防止するために、撮影レンズは、突出部の前面に設けた撮影窓から奥まった位置に配置されているが、レンズ付きフイルムユニットはガゼット袋に密封されているだけなので、レンズ付きフイルムユニットを輸送する際や店頭での陳列作業中に、例えばレンズ付きフイルムユニットの角や陳列用ハンガーの先端等の鋭い部分によって、ガゼット袋の上から撮影レンズが押されて、撮影レンズがズレたり破損してしまうことがあった。
【０００７】
こうした問題を解決するために、図５に示すようにレンズ付きフイルムユニット２の前面側からシート状のスペーサー２０を被せ、スペーサー２０に設けた支持面２０ａでレンズ付きフイルムユニット２の前面を突出部１０を含めて覆い、支持面２０ａの両端に一体に設けた折り曲げ片２０ｂ，２０ｃを、レンズ付きフイルムユニット２の上面側と下面側に沿って折り曲げて覆った後、レンズ付きフイルムユニット２をスペーサー２０もろともガゼット袋２１で覆うようにする方法が提案されている。
【０００８】
これだと、レンズ付きフイルムユニット２の前面を覆っているガゼット袋２１がスペーサー２０の支持面２０ａによって内面側から支えられるので、レンズ付きフイルムユニット２の前面を覆うガゼット袋２１がでこぼこしたり、皺が寄ったりすることがなくなる。また、ガゼット袋２１が直方体形状になるから、梱包時の取り扱いが簡便になる。また、突出部１０がスペーサー２０で覆われるので、撮影レンズの保護が完全に行われる他、スペーサー２０に取り扱い説明や使用上の注意事項等を印刷して表示させることもできる。
【０００９】
【発明が解決しようとする課題】
上述したものでは、スペーサー２０の支持面２０ａは折り曲げ片２０ｂ，２０ｃで支持されている。突出部１０は先端に向かって先細になっており、その先端にレンズ付きフイルムユニット２の前面と平行に前面１０ｂが形成されている。この前面１０ｂがスペーサー２０の裏面側に接触して、スペーサー２０を裏側から支持し、運搬時や梱包取り扱い時に、ガゼット袋２１の外観が不格好にならないようになっている。
【００１０】
そのため、運搬時等に振動が発生した場合には、突出部１０の前面１０ｂとこの端縁エッジがスペーサー２０の裏面側に擦れて、突出部１０の一部が削られてしまうといった問題があった。また、そこで発生した粉が撮影レンズ１２に付着し、撮影した写真に写ってしまうといった問題があった。またスペーサー２０の裏面側が擦れて、スペーサ２０の裏側に行われた印刷が見にくくなってしまうといった問題があった。
【００１１】
本発明は上記事情を考慮してなされたもので、スペーサーの裏面側に突出部の前面が擦れて、突出部の一部が削れて削れ粉が発生しないようにしたレンズ付きフイルムユニットを提供することを目的とするものである。
【００１２】
【課題を解決するための手段】
本発明は上記目的を解決するために、突出部の前面で撮影窓を取り囲むようにして突出部と一体に突条を形成し、ガゼット袋に包装した状態で突条がスペーサシートを裏面側から支持するようにした。またスペーサシートに接触する突条先端部の断面を半円形状にしているので、スペーサーがレンズ鏡筒と擦れた際に突出部の一部が削られてしまうことがなくなった。
【００１３】
【発明の実施形態】
本発明の実施形態を図面を参照して説明する。なお、従来の技術の説明及び発明が解決するための課題の欄で用いた図面及び符号を一部重複して使用する。図４は本発明のレンズ付きフイルムユニットの外観斜視図を示すものである。レンズ付きフイルムユニット２はユニット本体３を外装用の紙箱４で覆ったものである。ユニット本体３には、パトローネ及びこれから引き出してロール状にした写真フイルムを内蔵するとともに撮影機構が組み込まれている。紙箱４の所要部には開口部が設けられ、ユニット本体３に設けられた突出部１０，シャッタボタン５，フイルムカウンタ窓６，ファインダ窓７，巻上げノブ８が露呈している。
【００１４】
レンズ付きフイルムユニット２の前面２ａには、ユニット本体３の薄形化のために、パトローネを収納したパトローネ室に倣って前方に突出したグリップ部１８と、前面２ａから突出して突出部１０とが形成されている。突出部１０は先端に向かって先細りになっており、その先端には平坦な前面１０ｂが形成されている。前面１０ｂには、撮影レンズ１２を露呈した撮影窓１０ａが設けられている。撮影窓１０ａの奥には撮影レンズ１２が配置されており、塵埃や指紋の付着が低減されている。前面１０ｂには、この撮影窓１０ａを取り囲むように一体に突条１３が形成されている。
【００１５】
突出部１０の側面断面図を示す図２において、突条１３は突出部１０の前面１０ｂの端縁に形成されており、その先端部の断面は半円形状になっている。この突条１３の先端部は例えば半径０．１ｍｍの半円で形成されている。
【００１６】
図３は上記レンズ付きフイルムユニット２を包装する様子を表している。レンズ付きフイルムユニット２は、防湿性を有するガゼット袋２１で包装される前に、その前面２ａ側にスペーサー２０が被せられる。ガゼット袋２１は、防湿のためにアルミニウムシートが器材として用いられた多層構造のシート材で作られ、その表面にはレンズ付きフイルムユニット２の機種を表す表示やデザイン模様等が印刷されており、その裏面にはレンズ付きフイルムユニット２の取り扱い説明や使用上の注意事項等が印刷されている。
【００１７】
また図示しているように、ガゼット袋２１のセンターシール部２１ａはレンズ付きフイルムユニット２の前面側にくるようになっており、しかも突出部１０の上に重なる方向に折り曲げられ、包装状態で撮影レンズ１２を保護するようになっている。
【００１８】
スペーサ２０は厚紙製または樹脂製のシートで作られ、その中央部には、レンズ付きフイルムユニット２の前面２ａを前述した突出部１０を含めて覆い得る広さの支持面２０ａが設けられている。この支持面２０ａには折り曲げ片２０ｂ，２０ｃが一体に連設されており、各々の境界に入れられた切込みやミシン目で折り曲げられている。折り曲げ片２０ｂ，２０ｃの折り曲げ位置から先端縁までの幅は、突出部１０の先端からレンズ付きフイルムユニット２の背面までの幅と同じかわずか短くなっている。また適宜にスペーサ２０の各コーナー部分は丸められている。
【００１９】
スペーサ２０は、レンズ付きフイルムユニット２をガゼット袋２１で包装する前に充分な乾燥処理を施した後に、レンズ付きフイルムユニット２の前面に被せられる。支持面２０ａはレンズ付きフイルムユニット２の前面２ａを突出部１０を含めて覆い、折り曲げ片２０ｂ，２０ｃはレンズ付きフイルムユニット２の上面及び下面に沿わされる。
【００２０】
自動包装により、レンズ付きフイルムユニット２はスペーサ２０ごとガゼット袋２１で包まれる。この包み込み工程の後に、ガゼット袋２１の開放端がエンドシールされて包装状態となる。
【００２１】
この包装状態では、ガゼット袋２１は支持面２０ａによって内部から支えられているため、凹凸ができたり皺ができたりすることがない。外形がほぼ直方体形状になるので、梱包時の取り扱いが良好となり、撮影レンズ１２がスペーサ２０で完全に覆われて保護される。
【００２２】
このようにしてレンズ付きフイルムユニット２をスペーサ２０ごとガゼット袋２１で包装した状態では、図１に示すように、突条１３がスペーサー２０の裏側に接触して、前述した折り曲げ片２０ｂ，２０ｃとともに裏側からスペーサー２０を支持する。
【００２３】
梱包時の取扱いや運搬時等によって振動が生じると、スペーサー２０がズレを生じるが、突条１３でスペーサー２０を突出部１０の前面１０ｂから浮かせて支持するので、スペーサー２０の裏面側が突出部１０の前面１０ｂに擦れることがない。その際、突条１３はスペーサー２０の裏面側に擦れるが、突条１３は表面が曲面で接触面積が小さくなっているので強く擦れることがなく、突出部１０の削れを防止することができる。また、スペーサー２０の裏面側に印刷した取り扱い説明や使用上の注意事項等を良好に保つことができる。
【００２４】
また、上記したものでは、紙箱４でユニット本体３を覆ったレンズ付きフイルムユニット２を示しているが、外装用ラベルでユニット本体３を覆うようにしたレンズ付きフイルムユニットに本発明を適用してもよい。
【００２５】
【発明の効果】
上記のように、本発明方法によれば、突出部の前面に撮影窓を取り囲むように突条を形成し、ガゼット袋に包装した状態で突条がスペーサシートを裏面側から支持するようにしたから、運搬時や梱包取り扱い時等により生じた振動でスペーサーが突出部の前面と擦れることがなくなり、レンズ鏡筒が削られてその削れ粉が撮影レンズに付着することがなくなり、良好な包装状態を維持することができる。またスペーサシートに接触する突条先端部の断面を半円形状にしているので、強く擦れることがなく、突条の削れを防止することができる。
【図面の簡単な説明】
【図１】本発明を実施したレンズ付きフイルムユニットにスペーサーを被せてガゼット袋で包んだ状態の要部を示す側面断面図である。
【図２】本発明を実施したレンズ付きフイルムユニットの要部を示す側面側断面図である。
【図３】本発明の一実施例を示す斜視図である。
【図４】本発明で用いられるレンズ付きフイルムユニットを示す前面側斜視図である。
【図５】レンズ付きフイルムユニットにスペーサーを被せてガゼット袋で包んだ状態を示す側面側断面図である。
【図６】レンズ付きフイルムユニットにスペーサーを被せてガゼット袋で包んだ状態の要部を示す側面側断面図である。
【符号の説明】
２  レンズ付きフイルムユニット
２ａ  前面
３  ユニット本体
４  紙箱
１０  突出部
１０ａ  撮影窓
１０ｂ  前面
１２  撮影レンズ
１３  突条
２０  スペーサー
２０ａ  支持面
２１  ガゼット袋
【図１】
0003713091.tif 000002
【図２】
0003713091.tif 000003
【図３】
0003713091.tif 000004
【図４】
0003713091.tif 000005
【図５】
0003713091.tif 000006
【図６】
0003713091.tif 000007